(57)【要約】【課題】レール及びガイドの異物による破損を防止することが可能な保護部材、案内装置、駆動装置、型締装置、及び、射出装置を提供すること。【解決手段】型締装置１３に用いられる案内装置３５は、レール６１と、レール６１を移動するガイド６２と、レール６１を挿通可能、且つ、レール６１の外周に沿って形成されたレール６１の上面及び両側面に近接する開口部６７、及び、レール６１の長手方向に沿って所定の角度有する側面を有し、ガイド６２の移動に伴ってレール６１に沿って移動可能な保護部材６３と、を備える構成とする。また、当該保護部材６３は、駆動装置にも備えることができる。さらに、当該保護部材６３は、射出装置１２の案内部２５にも備えることが可能である。【選択図】図２
2012112445.tif 000002
【特許請求の範囲】
【請求項１】
レール及び前記レールを移動するガイドを備える案内装置又は駆動装置に備えられる保護部材であって、
前記ガイド、又は、前記ガイドに設けられる前記ガイドの移動に伴って移動する可動物に取り付けられる取付部と、
前記取付部に設けられ、前記レールを挿通可能、且つ、前記レールの長手方向に沿って所定の角度を有する保護部と、
を備えることを特徴とする保護部材。
【請求項２】
前記保護部は、前記レールの上面及び側面に所定の間隙を有して近接することを特徴とする請求項１に記載の保護部材。
【請求項３】
前記レールは、一対設けられ、
前記ガイドは、前記レールにそれぞれ設けられ、
前記取付部は、前記ガイドにそれぞれ取り付けられることを特徴とする請求項１又は請求項２に記載の保護部材。
【請求項４】
前記レールは、一対設けられ、
前記ガイドは、前記レールにそれぞれ設けられ、
前記取付部は、前記一対のガイドに取り付けられ、
前記保護部は、前記一対のレールを跨いで設けられることを特徴とする請求項１又は請求項２に記載の保護部材。
【請求項５】
可動物をレールに沿って移動させる案内装置であって、
前記レールと、
前記レールを移動可能に形成され、前記可動物を固定させることで、その移動に伴って前記可動物を移動させるガイドと、
前記ガイド又は前記可動物に取り付けられる取付部、及び、前記レールを挿通可能、且つ、前記レールの長手方向に沿って所定の角度を有する保護部を具備する保護部材と、
を備えることを特徴とする案内装置。
【請求項６】
前記保護部は、前記レールの上面及び側面に所定の間隙を有して近接することを特徴とする請求項５に記載の案内装置。
【請求項７】
前記レールは、一対設けられ、
前記ガイドは、前記レールにそれぞれ設けられ、
前記取付部は、前記ガイドにそれぞれ取り付けられることを特徴とする請求項５又は請求項６に記載の案内装置。
【請求項８】
前記レールは、一対設けられ、
前記ガイドは、前記レールにそれぞれ設けられ、
前記取付部は、前記一対のガイドに取り付けられ、
前記保護部は、前記一対のレールを跨いで設けられることを特徴とする請求項５又は請求項６に記載の案内装置。
【請求項９】
可動物をレールに沿って移動させる駆動装置であって、
前記レールと、
前記レールを移動可能に形成され、前記可動物を固定させることで、その移動に伴って前記可動物を移動させるガイドと、
前記ガイド又は前記可動物に取り付けられる取付部、及び、前記レールを挿通可能、且つ、前記レールの長手方向に沿って所定の角度を有する保護部を具備する保護部材と、
を備えることを特徴とする駆動装置。
【請求項１０】
前記保護部は、前記レールの上面及び側面に所定の間隙を有して近接することを特徴とする請求項９に記載の駆動装置。
【請求項１１】
前記レールは、一対設けられ、
前記ガイドは、前記レールにそれぞれ設けられ、
前記取付部は、前記ガイドにそれぞれ取り付けられることを特徴とする請求項９又は請求項１０に記載の駆動装置。
【請求項１２】
前記レールは、一対設けられ、
前記ガイドは、前記レールにそれぞれ設けられ、
前記取付部は、前記一対のガイドに取り付けられ、
前記保護部は、前記一対のレールを跨いで設けられることを特徴とする請求項９又は請求項１０に記載の駆動装置。
【請求項１３】
開閉機構により離接可能な固定型及び可動型を型締めする型締装置であって、
レールと、
前記レールの一方の端側に設けられ、前記固定型が設けられる固定盤と、
前記可動型が設けられる可動盤と、
前記レールに沿って移動可能に設けられるとともに、前記可動盤又は前記開閉機構に固定され、前記レールに沿って前記可動盤又は前記開閉機構を前記固定盤に向かって前後進移動させるガイドと、
前記ガイド、又は前記可動盤、もしくは前記開閉機構に取り付けられる取付部、及び、前記レールを挿通可能、且つ、前記レールの長手方向に沿って所定の角度を有する保護部を具備する保護部材と、
を備えることを特徴とする型締装置。
【請求項１４】
前記保護部は、前記レールの上面及び側面に所定の間隙を有して近接することを特徴とする請求項１３に記載の型締装置。
【請求項１５】
前記レールは、一対設けられ、
前記ガイドは、前記レールにそれぞれ設けられ、
前記取付部は、前記ガイドにそれぞれ取り付けられることを特徴とする請求項１３又は請求項１４に記載の型締装置。
【請求項１６】
前記レールは、一対設けられ、
前記ガイドは、前記レールにそれぞれ設けられ、
前記取付部は、前記一対のガイドに取り付けられ、
前記保護部は、前記一対のレールを跨いで設けられることを特徴とする請求項１３又は請求項１４に記載の型締装置。
【請求項１７】
加熱した材料を金型に射出する射出装置において、
レールと、
前記レールを移動するガイドと、
前記ガイド上に固定され、前記ガイドの移動に伴って前記レールに沿って移動する前記材料を射出するノズルが設けられる筐体と、
前記ガイド又は前記筐体に取り付けられる取付部、及び、前記レールを挿通可能、且つ、前記レールの長手方向に沿って所定の角度を有する保護部を具備する保護部材と、
を備えることを特徴とする射出装置。
【請求項１８】
前記保護部は、前記レールの上面及び側面に所定の間隙を有して近接することを特徴とする請求項１７に記載の射出装置。
【請求項１９】
前記レールは、一対設けられ、
前記ガイドは、前記レールにそれぞれ設けられ、
前記取付部は、前記ガイドにそれぞれ取り付けられることを特徴とする請求項１７又は請求項１８に記載の射出装置。
【請求項２０】
前記レールは、一対設けられ、
前記ガイドは、前記レールにそれぞれ設けられ、
前記取付部は、前記一対のガイドに取り付けられ、
前記保護部は、前記一対のレールを跨いで設けられることを特徴とする請求項１７又は請求項１８に記載の射出装置。
【発明の詳細な説明】
【技術分野】
【０００１】
本発明は、レール及びガイドの保護部材、並びに、レール及びガイドを用いた案内装置、駆動装置、型締装置、及び、射出装置に関する。
【背景技術】
【０００２】
現在、加工装置、例えば射出成形機やダイカスト装置に用いられる射出装置や型締装置において、レールに沿ってガイドを移動、例えばリニア移動させる案内装置が用いられている。また、このような案内装置として、異物による案内精度の阻害を防止するために、レールにカバーを備える構成が知られている（例えば、特許文献１参照）。
【０００３】
しかし、特許文献１に記載された案内装置では、その端面が平面に形成されており、異物と接触した案内装置は、移動方向に沿って異物を押し出すように移動するため、レールとガイドとの間に異物を巻き込む虞がある。レールとガイドとの間に異物が巻き込まれると、レール及びガイドの損傷の原因となる。
【０００４】
また、レールは、その終端部に、ガイドの移動を規制する固定物が設けられている。このため、レールとガイドとの間に異物が巻き込まれなくても、当該固定物とガイドとの間に異物が挟まると、当該異物によりガイドの移動が規制され、ガイドがレールの終端部まで移動することができなくなる虞がある。また、固定物とガイドとにより異物が挟まると、ガイドが異物により破損される虞もある。
【０００５】
そこで、異物の巻き込みや、固定物とガイドとの間に異物が挟まることを防止するために、ジャバラによりレールを覆い、異物のレール及びガイドへの侵入を防止する構成も知られている（例えば、特許文献２参照）。
【０００６】
また、加工装置ではなく鉄道車両に用いられる構成であるが、走行中にレール近傍の障害物を排除する排障板を備える鉄道車両の前頭部構造が知られている（例えば、特許文献３参照）。この前頭部構造に用いられる排障板は、左右のレール付近まで延びる円弧形状の前頭部の中央位置の下端中央に、水平方向前方に伸びるリップ部を設け、このリップ部により障害物をレール近傍から排除する構成である。
【先行技術文献】
【特許文献】
【０００７】
【特許文献１】特開２０００−１７９５４９号公報
【特許文献２】実開平０３−３８４２２号公報
【特許文献３】特開２００５−２０６００６号公報
【発明の概要】
【発明が解決しようとする課題】
【０００８】
前述した案内装置では、以下の問題があった。即ち、ジャバラを用いてレールを覆う構成では、製造コストが増大する。また、鉄道車両に用いられる前頭部構造では、レール近傍の障害物を排除することはできる。しかし、鉄道車両は、その車輪（ガイドに対応）がレール上を回転することで走行（移動）する構成であるため、レールの外側面と車輪の内側面との間に異物が巻き込まれることが少なく、このため、加工装置に用いられるレール及びガイドに、当該構成を用いても、異物の巻き込みを効果的に防止することが困難である。
【０００９】
そこで本発明は、レール及びガイドの異物による破損を防止することが可能な保護部材、案内装置、駆動装置、型締装置、及び、射出装置を提供することを目的とする。
【課題を解決するための手段】
【００１０】
前記課題を解決し目的を達成するために、本発明の保護部材、案内装置、駆動装置、型締装置、及び、射出装置は、次のように構成されている。
【００１１】
本発明の一態様として、レール及び前記レールを移動するガイドを備える案内装置又は駆動装置の保護部材であって、前記ガイド、又は、前記ガイドに設けられる前記ガイドの移動に伴って移動する可動物に取り付けられる取付部と、前記取付部に設けられ、前記レールを挿通可能、且つ、前記レールの長手方向に沿って所定の角度を有する保護部と、を備える。
【００１２】
本発明の一態様として、可動物をレールに沿って移動させる案内装置であって、前記レールと、前記レールを移動可能に形成され、前記可動物を固定させることで、その移動に伴って前記可動物を移動させるガイドと、前記ガイド又は前記可動物に取り付けられる取付部、及び、前記レールを挿通可能、且つ、前記レールの長手方向に沿って所定の角度を有する保護部を具備する保護部材と、を備える。
【００１３】
本発明の一態様として、可動物をレールに沿って移動させる駆動装置であって、前記レールと、前記レールを移動可能に形成され、前記可動物を固定させることで、その移動に伴って前記可動物を移動させるガイドと、前記ガイド又は前記可動物に取り付けられる取付部、及び、前記レールを挿通可能、且つ、前記レールの長手方向に沿って所定の角度を有する保護部を具備する保護部材と、を備える。
【００１４】
本発明の一態様として、開閉機構により離接可能な固定型及び可動型を型締めする型締装置であって、レールと、前記レールの一方の端側に設けられ、前記固定型が設けられる固定盤と、前記可動型が設けられる可動盤と、前記レールに沿って移動可能に設けられるとともに、前記可動盤又は前記開閉機構に固定され、前記レールに沿って前記可動盤又は前記開閉機構を前記固定盤に向かって前後進移動させるガイドと、前記ガイド、又は前記可動盤、もしくは前記開閉機構に取り付けられる取付部、及び、前記レールを挿通可能、且つ、前記レールの長手方向に沿って所定の角度を有する保護部を具備する保護部材と、を備える。
【００１５】
本発明の一態様として、加熱した材料を金型に射出する射出装置において、レールと、前記レールを移動するガイドと、前記ガイド上に固定され、前記ガイドの移動に伴って前記レールに沿って移動する前記材料を射出するノズルが設けられる筐体と、前記ガイド又は前記筐体に取り付けられる取付部、及び、前記レールを挿通可能、且つ、前記レールの長手方向に沿って所定の角度を有する保護部を具備する保護部材と、を備える。
【発明の効果】
【００１６】
本発明によれば、レール及びガイドの異物による破損を防止することが可能な保護部材、案内装置、駆動装置、型締装置、及び、射出装置を提供することが可能となる。
【図面の簡単な説明】
【００１７】
【図１】本発明の第１の実施の形態に係る射出成形機の型締装置に用いられる案内装置の構成を模式的に示す側面図。
【図２】同型締装置及び同案内装置の要部構成を模式的に示す側面図。
【図３】同案内装置の要部構成を模式的に示す斜視図。
【図４】同案内装置の要部構成を模式的に示す斜視図。
【図５】同案内装置の要部構成を一部断面で模式的に示す説明図。
【図６】本発明の第２の実施の形態に係る射出成形機の型締め装置の要部構成を一部断面で模式的に示す説明図。
【発明を実施するための形態】
【００１８】
（第１の実施形態）
以下、本発明の第１の実施形態について、図１乃至図５を用いて説明する。  
図１は本発明の一実施の形態に係る射出成形機１に用いられる型締装置１３、及び、型締装置１３に用いられる案内装置３５の構成を模式的に示す側面図、図２は型締装置１３及び案内装置３５の構成を射出装置１２側から示す側面図、図３は案内装置３５の要部構成、特にレール６１、ガイド６２及び保護部材６３の構成を示す斜視図、図４はレール６１、ガイド６２及び保護部材６３の構成であって、保護部材６３に用いられる上面保護部材７０を除いた構成を示す斜視図、図５は案内装置３５の要部構成、特に、レール６１及び保護部材６３の構成を、図３、図４中のＶ−Ｖ断面にて一部断面で示す説明図である。なお、図１中Ｓは信号線を、図４中Ｘは異物をそれぞれ示している。
【００１９】
また、本実施の形態で以下述べる「異物」とは、例えば、射出成形機１に用いられる工具類や、工具やボルト、ナット及びマツバ等の各構成品を取り付けるための部品等であり、水や砂塵等は含まないものとして、以下説明する。
【００２０】
図１に示すように、射出成形機１は、例えば、フレーム１１と、射出装置１２と、型締装置１３と、制御部１４と、入力部１５と、を備えている。また、射出成形機１は、例えば、固定型４０ａ及び可動型４０ｂを備える金型４０を備えている。
【００２１】
フレーム１１は、射出装置１２及び型締装置１３を、その上部に配置可能な基体（ボディ）である。
【００２２】
射出装置１２は、加熱して溶融させた材料を、後述したノズル２６から金型４０内へと射出可能に形成されている。射出装置１２は、例えば、バレル２０と、スクリュー２１と、回転機構２２と、移動機構２３と、材料を加熱するための加熱装置（図示せず）と、案内部２５と、を備えている。また、射出装置１２は、バレル２０、スクリュー２１、回転機構２２、移動機構２３及び加熱装置が設けられる筐体１２ａを備えている。この筐体１２ａは、案内部２５に支持され、案内部２５により、型締装置１３（金型４０）に対して移動可能に形成されている。
【００２３】
バレル２０は、その先端にノズル２６が設けられている。スクリュー２１は、バレル２０の内部に回転および前進後進可能に設けられている。回転機構２２は、スクリュー２１を回転可能に形成されている。移動機構２３は、スクリュー２１を軸線方向に移動可能に形成されている。
【００２４】
案内部２５は、フレーム１１上に固定されている。案内部２５は、筐体１２ａを型締装置１３に対して前進および後進方向に移動可能に形成されている。具体的には、案内部２５は、後述する型締装置１３の案内装置３５が用いられる。即ち、案内部２５は、後述するレール６１と、筐体１２ａが固定されるガイド６２と、ガイド６２又は筐体１２ａに取り付けられる取付部６５と、保護部６６とを備えた保護部材６３を備える。しかし、案内部２５に用いられる案内装置３５は、後述にてその詳細（構成、作用、及び効果など）を説明することから、本実施形態においては、案内部２５の詳細な説明は省略する。ノズル２６は、型締装置１３に対向して配置されている。
【００２５】
型締装置１３は、固定盤（固定物）３０と、可動盤（可動物）３１と、開閉機構３２と、タイバー３３と、型厚調整機構３４と、案内装置３５と、を備えている。
【００２６】
固定盤３０は、フレーム１１に固定されている。固定盤３０は、例えば、金型４０の一部である固定型４０ａを固定可能に形成されている。固定盤３０は、例えば、後述するレール６１の一方の端側に設けられる。
【００２７】
可動盤３１は、固定盤３０に対向して配置され、固定盤３０に対して移動可能に形成されている。可動盤３１は、開閉機構３２、又は型厚調整機構３４により、案内機構３５を介して、固定盤３０に対して前進及び後進方向に直線的な移動（リニア移動）が可能に形成されている。可動盤３１は、金型４０の一部である可動型４０ｂを固定可能に形成されている。
【００２８】
開閉機構３２は、可動盤３１をリニア移動させることで、金型４０を開閉、即ち、固定型４０ａ及び可動型４０ｂを離接可能に形成されている。開閉機構３２は、リンクハウジング４９と、トグルリンク５０と、クロスヘッド５１と、ボールねじ５２と、サーボモータ等の回転機構５３と、を備えている。
【００２９】
リンクハウジング４９は、トグルリンク５０、及びクロスヘッド５１の支点となる。リンクハウジング４９は、フレーム１１に載置されるとともに、型厚調整機構３４によりその位置を調整可能に形成されている。
【００３０】
トグルリンク５０は、可動盤３１、及びリンクハウジング４９に接続されている。クロスヘッド５１は、ボールねじ５２と接続され、ボールねじ５２の回転により、ボールねじ５２の軸心方向に沿って移動可能に形成されている。回転機構５３は、信号線Ｓ等を介して、制御部１４に電気的に接続されている。回転機構５３は、ボールねじ５２を回動可能に形成されている。
【００３１】
このような開閉機構３２は、図１中の矢印で示すように、回転機構５３の回転運動を、クロスヘッド５１のリニア移動に変換し、当該クロスヘッド５１のリニア移動を、トグルリンク５０を介して可動盤３１に伝達させる。このように、開閉機構３２は、当該可動盤３１を固定盤３０に対してリニア移動させることが可能に形成されている。
【００３２】
タイバー３３は、可動盤３１の移動を案内可能に形成されている。型厚調整機構３４は、リンクハウジング４９に接続され、当該リンクハウジング４９を移動可能に形成されている。型厚調整機構３４は、信号線Ｓ等を介して、電気的に制御部１４に接続されている。
【００３３】
案内装置３５は、フレーム１１に固定された一対のレール６１と、各々のレール６１に移動可能に設けられたガイド６２と、ガイド６２の先端にそれぞれ設けられた保護部材６３と、を備えている。
【００３４】
レール６１は、トグルリンク５０の可動方向、即ち、可動盤３１が、固定盤３０に対して前進及び後進する方向（前後方向）に沿って直線的に延設されている。レール６１は、ガイド６２の移動を案内可能に形成されている。レール６１は、その両側面に台形状の溝部６１ａが形成されている。なお、溝部６１ａは例えば、後述するガイド６２の転がり軸受の転動面である。
【００３５】
ガイド６２は、レール６１にそれぞれ設けられた一対のリニアシステムを用いたガイド（リニアガイド）である。ガイド６２は、レール６１の断面形状と略同一の溝部を有し、当該溝部の内部に、複数のボール又はローラにより構成された転がり軸受を有している。
【００３６】
ガイド６２は、溝部及び転がり軸受によりレール６１に沿って移動可能に形成されている。図２に示すように、ガイド６２は、一対のレール６１の幅に合わせて可動盤３１に一対固定されている。
【００３７】
保護部材６３は、ガイド６２の端面に当該ガイド６２の移動に伴って移動可能に設けられている。具体的には、図２に示すように、保護部材６３は、可動盤３１の脚部の固定盤３０と対向する端面、又は可動盤３１の脚部のリンクハウジング４９と対向する端面、あるいは、ガイド６２の固定盤３０と対向する端面、又は、ガイド６２のリンクハウジング４９と対向する端面に、ボルト等の締結部材Ｂにより固定されている。なお、本実施形態においては、保護部材６３は、ガイド６２の固定盤３０と対向する端面に設けられた構成を説明する。保護部材６３は、ガイド６２又は可動盤３１に固定される取付部６５と、レール６１の一部を覆う保護部６６と、を備えている。
【００３８】
取付部６５は、例えば、ガイド６２又は可動盤３１に締結部材Ｂにより固定可能に形成されている。取付部６５は、保護部６６と溶接又は締結部材等により一体に固定されている。また、取付部６５は、その内部にレール６１を挿通可能に開口して形成されている。なお、取付部６５は、保護部６６に設けられていれば、保護部６６に固定されていなくてもよく、また、保護部６６と一体に形成されていてもよい。
【００３９】
保護部６６は、図２乃至図５に示すように、レール６１の上面及び側面に沿って、レール６１の一部を覆う、一部湾曲又は曲折する板材である。また、保護部６６は、可動盤３１が固定盤３０に向かって前進する際に、レール６１上又はレール６１近辺の異物をレール６１から離間する方向へ移動可能に、レール６１の長手方向に対して所定の角度を有する側面を具備する。
【００４０】
具体的には、保護部６６のレール６１の外周形状に沿って覆う部材は、いずれかの頂角がレール６１の略中心に位置するように配置され、その２面（側面）がレール６１に対して傾斜する三角柱状（山型）の板状の部材であり、レール６１が挿通する部位が、レール６１の外周形状に沿って近接して開口する。
【００４１】
さらに詳細に説明すると、図２乃至図５に示すように、保護部６６は、レール６１を挿通可能、且つ、前記レール６１の上面及び両側面に近接するようにレール６１の外周に沿って形成された開口部６７を有する三角柱状の排障部材６８と、当該開口部６７に設けられ、レール６１の溝部６１ａと近接する突出部６９と、取付部６５と排障部材６８との上部に設けられ、レール６１の上面を覆う上面保護部材７０と、を備えている。
【００４２】
また、保護部６６は、その側面である排障部材６８及び突出部６９が、固定盤３０から可動盤３１に向かって外側に広がるように傾斜して形成されている。
【００４３】
開口部６７及び突出部６９は、その端部がレール６１の外周に沿って形成されるとともに、レール６１の外周と所定の間隙を有して近接する。なお、ここで「所定の間隙を有して近接する」とは、異物をレール６１と保護部６６との間に巻き込まない程度の隙間を有して離間することであり、案内装置３５の使用を考慮した際に、考えられる異物よりも小さい間隙であることが好ましい。
【００４４】
上面保護部材７０は、取付部６５の開口及び三角柱状の排障部材６８の開口する上部から、レール６１に異物が侵入することを防止可能に、排障部材６８の上部開口を覆い、その外周が、取付部６５と排障部材６８の外側縁に沿って形成された板状部材である。
【００４５】
制御部１４は、成形動作および型締動作等を制御可能に形成されている。入力部１５は、ヒューマンマシン・インターフェース部として機能可能に形成されている。この入力部１５として、例えば、表示器及び入力キーを兼ねたタッチパネルディスプレイである。
【００４６】
このように構成された射出成形機１は、入力部１５により入力された指令に基づいて制御部１４が開閉機構３２又は型厚調整機構３４を駆動して可動盤３１又はリンクハウジング４９を前進又は後進させ、型締装置１３の型締め又は型厚調整を行う。
【００４７】
このとき、可動盤３１は、開閉機構３２、又は型厚調整機構３４により、案内装置３５を介して案内されて固定盤３０に対してリニア移動を行う。この可動盤３１の移動の際において、ガイド６２及び固定盤３０間のレール６１近辺に異物（例えば、図５中の異物Ｘ）が侵入した場合に、保護部材６３は、レール６１及びガイド６２を保護する。
【００４８】
具体的に説明すると、案内装置３５は、可動盤３１の移動に伴ってガイド６２がレール６１に沿って移動するとともに、当該移動に伴って保護部材６３もレール６１に沿って移動することとなる。
【００４９】
保護部材６３の保護部６６は、排障部材６８及び突出部６９がレール６１の外周に沿って近接しており、当該保護部６６が、ガイド６２の移動に伴って移動する。このため、保護部材６３は、異物がレール６１及びガイド６２間に巻き込まれることを防止することが可能となる。
【００５０】
更に詳しく言えば、保護部材６３は、その排障部材６８及び突出部６９が、案内装置３５の移動方向に対して、固定盤３０から可動盤３１に向かって外側に突出するように、所定の傾斜を有する。このため、保護部材６３は、図５に二点鎖線で示す異物Ｘのように、当該傾斜によりその保護部６６に当接した異物Ｘをレール６１上又はレール６１の近辺から排除する（跳ね除ける）、即ち、レール６１から離間する方向に移動させることが可能となる。
【００５１】
このため、保護部材６３は、レール６１及びガイド６２間に異物が巻き込まれることを防止することが可能となり、レール６１及びガイド６２の損傷及び破損を防止することが可能となる。
【００５２】
また、保護部６６は、排障部材６８及び突出部６９が、レール６１に対して所定の角度を有することにより、図５に示すように、異物Ｘをレール６１から離間する方向に移動させるため、ガイド６２と固定盤３０との間に異物が挟まれることを防止することができる。
【００５３】
即ち、保護部材６３は、保護部６６により、レール６１上又は近傍に位置した異物Ｘを、案内装置３５の移動方向に沿って押すことなく、レール６１から離間する方向に移動させる。このため、保護部材６３と固定盤３０との間に異物が介在することを防止することができる。また、案内装置３５及び固定盤３０の間に異物が介在することで、案内装置３５（可動盤３１）の移動可能範囲が短くなること、及び、当該異物によるガイド６２及び固定盤３０などのガイド６２と対向する構成部材の破損を防止することができる。
【００５４】
また、保護部６６は、所定の間隔を有してレール６１に近接するが、レール６１に接触しない構成であり、このような構成とすることで保護部６６がレール６１と摺動することがない。このため、ガイド６２の移動の摺動抵抗の増加を防止することが可能となる。
【００５５】
さらに、保護部材６３は簡素な構成であって、ガイド６２又は可動盤３１に固定する構成である。このため、製造コストを増大させることなく、安価なものとすることができる。
【００５６】
上述したように、本実施の形態に係る案内装置３５を有する型締装置１３によれば、保護部６６により異物をレール６１から離間させることで、異物によるレール６１、ガイド６２及び固定盤３０などのガイド６２と対向する構成部材の破損を防止することが可能となる。
【００５７】
（第２の実施形態）
次に、本発明の第２の実施の形態に係る射出成形機１に用いられる型締装置１３Ａについて、図６を用いて説明する。  
図６は本発明の第２の実施の形態に係る案内装置３５Ａを有する型締装置１３Ａの構成を、一部断面で模式的に示す説明図である。なお、第２の実施形態に係る型締装置１３Ａのうち、上述した第１の実施形態に係る型締装置１３と同様の構成には同一符号を付し、その詳細な説明は省略する。
【００５８】
図６に示すように、型締装置１３Ａに用いられる案内装置３５Ａは、一対のレール６１と、レール６１に移動可能にそれぞれ設けられたガイド６２と、ガイド６２の先端に設けられ、且つ、一対のレール６１及びガイド６２に跨って設けられた保護部材６３Ａと、を備えている。なお、型締装置１３Ａは、上述した型締装置１３と同様に、例えば、射出成形機１に設けられる。
【００５９】
図６に示すように、保護部材６３Ａは、一対のガイド６２、又は、可動盤３１に、締結部材Ｂ等により固定されている。保護部材６３Ａは、取付部６５Ａと、保護部６６Ａと、を備えている。
【００６０】
取付部６５Ａは、一対のガイド６２及び可動盤３１に固定可能に形成されている。取付部６５Ａは、保護部６６Ａを固定可能に形成されている。また、取付部６５Ａは、その内部に一対のレール６１を挿通可能に開口して形成されている。
【００６１】
保護部６６Ａは、取付部６５Ａに固定されている。保護部６６Ａは、少なくとも一対のレール６１の上面及び外側面の一部を覆う。具体的には、保護部６６Ａは、図６に示すように、一対のレール６１を挿通可能、且つ、一対のレール６１の上面及び外側面に近接して形成された開口部６７Ａを有する三角形状の排障部材６８Ａを備えている。保護部６６Ａは、当該開口部６７Ａに設けられ、一対のレール６１の外側面に設けられた溝部６１ａと近接するように突出する突出部６９Ａを備えている。
【００６２】
また、保護部６６Ａは、排障部材６８Ａ及び突出部６９Ａが、上述した第１の実施形態の排障部材６８及び突出部６９と同様に、固定盤３０から可動盤３１に向かって外側に広がるように傾斜して形成されている。なお、図６中、排障部材６８Ａは、一部断面で示す。
【００６３】
このように構成された案内装置３５Ａを有する型締装置１３Ａによれば、上述した案内装置３５を有する型締装置１３と同様の効果を得ることが可能となる。更に言えば、案内装置３５Ａは、保護部材６３Ａが一対のレール６１を覆うように形成されている。
【００６４】
このため、特に、レール６１よりもその高さが高い異物であれば、一対のレール６１間に位置したとしても、排障部材６８により、レール６１を乗り越えてレール６１の外側に異物を効果的に移動させることが可能となる。
【００６５】
また、案内装置３５Ａは、一対のレール６１及びガイド６２に対してひとつの保護部材６３Ａを設ければよく、上述した第１の実施形態に係る案内装置３５と比べて部品点数を抑えることができる。
【００６６】
なお、本発明は前述した実施の形態に限定されるものではない。上述した例では、案内装置３５，３５Ａは、案内装置自体には駆動部分を有さない構成を説明しているが、本発明はこれに限定されない。例えば、ガイド６２をレール６１に沿って移動させるモータ等の駆動部分を案内装置自体に有するもの（駆動装置）、又はそれ以外の駆動装置に本発明を適用してもよく、このような場合でも、上述した効果は全て得られる。
【００６７】
上述した例では、案内装置３５、３５Ａは、型締装置１３，１３Ａの可動盤３１に設けられる構成、及び、射出装置１２の案内部２５に用いる構成を説明したが、これに限定されない。例えば、型締装置１３，１３Ａの開閉機構３２（主に型厚調整機構３４により移動するリンクハウジング４９）に設けてもよく、このような場合でも、上述した効果は全て得られる。
【００６８】
また、上述した保護部材６３，６３Ａは、排障部材６８，６８Ａを三角柱状の板材としたが、これに限定されない。即ち、排障部材６８，６８Ａは、異物をレール６１から離間する方向に移動させる構成であればよい。このため、例えば、突出部６９，６９Ａを含む排障部材６８，６８Ａは、可動方向に対して外側に広がるように傾斜させて複数の板材を組み合わせて形成してもよく、また、円弧状の板材を組み合わせて形成してもよい。このような場合でも、上述した効果は全て得られる。
【００６９】
また、上述した保護部材６３，６３Ａの排障部材６８，６８Ａは、図５，６に示すようにいずれかの頂角がレール６１又は可動盤３１の略中心に位置するように配置されているようにしたがこれに限定されない。即ち、排障部材６８，６８Ａの側面が、ガイド６２の可動方向に対して外側に広がるように傾斜されていればよく、その際の排障部材６８，６８Ａの両側面の傾斜角は、同一であっても同一でなくてもよい。このような場合でも、上述した効果は全て得られる。
【００７０】
また、上述した保護部材６３は、ガイド６２の固定盤３０と対向する端面に設ける構成を説明したが、これに限定されない。即ち、保護部材６３は、ガイド６２の移動に伴って移動することでレール６１を保護可能であれば、どこに設けられていてもよく、例えば、固定盤３０と対向する可動盤３１の端面、又はガイド６２のリンクハウジング４９に対向する端面に設けられていてもよい。このような場合でも、上述した効果は全て得られる。
【００７１】
さらに、上述した案内装置３５，３５Ａは、射出成形機１の型締装置１３，１３Ａに用いる構成を説明したがこれに限定されない。案内装置３５，３５Ａは、他の加工装置等に用いてもよく、また、型締装置１３，１３Ａは、射出成形機１ではなく、ダイカストマシン、圧縮成形機（プレス成形機）、又はトランスファ成形機等に用いられる構成であってもよい。このような場合でも、上述した効果は全て得られる。また、案内装置３５，３５Ａは、転がり軸受を有する所謂リニアガイドだけでなく、他のレールを移動するガイドに設けてもよい。例えば、他のレールとして、溝部６１ａを有さない構成であってもよい。この場合には、溝部６１ａに近接する突出部６９，６９Ａを有さない保護部６６とすればよい。この際も、上述した効果は全て得られる。
【００７２】
この他、本発明の要旨を逸脱しない範囲で種々変形実施可能である。
【符号の説明】
【００７３】
１…射出成形機、１１…フレーム、１２…射出装置、１３，１３Ａ…型締装置、１４…制御部、１５…入力部、２０…バレル、２１…スクリュー、２２…回転機構、２３…移動機構、２５…案内部、２６…ノズル、３０…固定盤、３１…可動盤、３２…開閉機構、３３…タイバー、３４…型厚調整機構、３５，３５Ａ…案内装置、４０…金型、４９…リンクハウジング、５０…トグルリンク、５１…クロスヘッド、５２…ボールねじ、５３…回転機構、６１…レール、６１ａ…溝部、６２…ガイド、６３，６３Ａ…保護部材、６５，６５Ａ…取付部、６６，６６Ａ…保護部、６７，６７Ａ…開口部、６８，６８Ａ…排障部材、６９，６９Ａ…突出部、７０・・・上面保護部材、Ｂ…締結部材、Ｓ…信号線、Ｘ…異物。
【図１】
2012112445.tif 000003
【図２】
2012112445.tif 000004
【図３】
2012112445.tif 000005
【図４】
2012112445.tif 000006
【図５】
2012112445.tif 000007
【図６】
2012112445.tif 000008